(57)【要約】【課題】  光ピックアップ装置において強固に支持ワイヤーを支持部材に固定すると共に作業効率を向上させ、しかも装置の小型化を図ること。【解決手段】光ディスクの記録面にレーザー光を集光するための対物レンズ１９を備えた可動部１２と、可動部１２を支持するための支持部材３０と、その一端は支持部材３０に固定され、他端は可動部１２に接続されることにより、可動部１２を支持する支持ワイヤー２０と、可動部１２に設けられたコイルとを有する光ピックアップ装置において、支持ワイヤー２０の一端を、支持部材３０の側面側の支持部材用凹部３１にて固定している。【選択図】  図１
2006085748.tif 000002
【特許請求の範囲】
【請求項１】
光ディスクの記録面にレーザー光を集光するための対物レンズを備えた可動部と、
上記可動部を支持するための支持部材と、
その一端は上記支持部材に固定され、他端は上記可動部に接続されることにより、上記可動部を支持する支持ワイヤーと、
上記可動部に設けられたコイルと、
を有する光ピックアップ装置において、
上記支持ワイヤーの一端が、上記支持部材の側面側にて固定されていることを特徴とする光ピックアップ装置。
【請求項２】
前記支持部材の側面に凹部が設けられ、その凹部内にて前記支持ワイヤーの一端が導電性融着材により固定されていることを特徴とする請求項１記載の光ピックアップ装置。
【請求項３】
前記凹部の内周面には導電性皮膜が形成されていることを特徴とする請求項２記載の光ピックアップ装置。
【請求項４】
前記支持ワイヤーの他端は、前記可動部の側面にて固定されており、前記支持ワイヤーと前記コイルの端末線とが電気的に接続されていることを特徴とする請求項１から３のいずれか１項記載の光ピックアップ装置。
【請求項５】
前記可動部の側面には、前記支持ワイヤーを支持する支持部が設けられており、当該支持部の側面部には、前記支持ワイヤーの他端が固定されるための支持部用凹部が設けられていることを特徴とする請求項４記載の光ピックアップ装置。
【発明の詳細な説明】
【技術分野】
【０００１】
本発明は、光ディスクの記録面上に対物レンズによりレーザー光を集光させて、光ディスクに記録されている情報を読み込み、または光ディスクに情報を記録させる光ピックアップ装置に関する。
【背景技術】
【０００２】
従来から、光ピックアップ装置における支持部材への支持ワイヤーの接続手段としては、支持部材に貫通孔を設け、その貫通孔へ支持ワイヤーを挿通させ、その接続部分に、支持ワイヤーの軸方向に沿って半田を注入し、支持ワイヤーを支持部材に固定する方法が知られている（特許文献１参照）。
【０００３】
図５に、この従来方式、すなわち、貫通孔に支持ワイヤーを挿通する方式の光ピックアップ装置４０の平面図を、また、図６に光ピックアップ装置４０における支持ワイヤー４１と支持部材の接続部分（矢示Ｂで示す部分）の拡大図を示す。光ピックアップ装置４０では、支持兼、導電部材となる支持ワイヤー４１を回路基板ともなる支持部材４２に設けられた貫通孔４３へ挿通させる。そして、その挿通部分に、支持ワイヤー４１の軸方向に沿って半田４４を注入し、支持ワイヤー４１を半田４４によって支持部材４２に固定している。また、光ピックアップ装置４０では、支持ワイヤー４１は支持部材４２の貫通孔４３の近傍に形成された支持部４５によって支持されており、当該支持部４５を基準として可動部４６が可動することとなる。
【特許文献１】特開２００４−１５２４２１号公報（図７〜図９）
【発明の開示】
【発明が解決しようとする課題】
【０００４】
しかしながら、特許文献１記載の装置等、従来方式の光ピックアップ装置４０では、支持ワイヤー４１を微細な貫通孔４３へ挿通させ、その接続部分に、支持ワイヤー４１の軸方向に沿って半田４４を注入し、支持ワイヤー４１を半田４４によって固定している。そのため、貫通孔４３の内部まで半田４４がいき渡らず、支持部材４２の一方の平面側で、半田４４によって支持ワイヤー４１が固定されている状態となる。したがって、支持ワイヤー４１を半田４４によって固定する際の固定強度が小さくなるといった問題を有している。
【０００５】
また、微細な貫通孔４３に支持ワイヤー４１を挿通させることが困難であり、作業効率が上がらない。さらに、支持部材４２の幅方向寸法Ｌが大きくなり、光ピックアップ装置４０を小型化しづらいという問題を有している。
【０００６】
本発明は上記の事情にもとづきなされたもので、その目的とするところは、強固に支持ワイヤーを支持部材に固定することができると共に作業効率を上げることができ、しかも小型化が可能な光ピックアップ装置を提供しようとするものである。
【課題を解決するための手段】
【０００７】
上記課題を解決するために、本発明は、光ディスクの記録面にレーザー光を集光するための対物レンズを備えた可動部と、可動部を支持するための支持部材と、その一端は支持部材に固定され、他端は可動部に接続されることにより、可動部を支持する支持ワイヤーと、可動部に設けられたコイルとを有する光ピックアップ装置において、支持ワイヤーの一端が、支持部材の側面側にて固定されているものである。
【０００８】
このように構成した場合には、支持ワイヤーを支持部材の側面で固定することができるため、半田等の接続部材を十分確保でき、支持ワイヤーの固定強度を上げることができる。また、支持ワイヤーを支持部材に設けられた微細な貫通孔に相通する必要がなくなり、作業効率がアップする。さらに、貫通孔の場合、その貫通孔を囲む部分が必要となり、支持部材の幅方向寸法が大きくなりがちであったが、支持部材の側面側にて固定するため、貫通孔を囲む領域に相当する領域が不要となり幅方向寸法を小さくでき、小型化が可能となる。
【０００９】
また、他の発明は、上述の発明に加えて更に、支持部材の側面に凹部が設けられ、その凹部内にて支持ワイヤーの一端が導電性融着材により固定されているものである。
【００１０】
このように構成した場合には、支持部材の側面に設けられた凹部にて支持ワイヤーを固定できるため、支持ワイヤーが凹部内に納まった状態で、支持部材を導電性融着材により側面から固定できることとなる。したがって、支持ワイヤーが凹部内に納まった状態では、支持ワイヤーは支持部材の側面に安定的に保持されることとなる。また、導電性融着材が凹部内に入り込み、そこで固まりやすくなるため、他の領域に広がるのを防止できる。
【００１１】
また、他の発明は、上述の発明に加えて更に、凹部の内周面には導電性皮膜が形成されている。このように構成した場合には、支持ワイヤーが、支持部材に形成された回路と確実に導電可能に接続されることとなる。
【００１２】
また、他の発明は、上述の発明に加えて更に、支持ワイヤーの他端は、可動部の側面にて固定されており、支持ワイヤーとコイルの端末線とが電気的に接続されているものである。このように構成した場合には、支持ワイヤーを可動部の側面にて固定することができるため、支持ワイヤーを可動部の貫通孔に挿通する場合と比較して、固定強度アップ、作業効率アップおよび小型化が図れる。
【００１３】
また、他の発明は、上述の発明に加えて更に、可動部の側面には、支持ワイヤーを支持する支持部が設けられており、支持部の側面部には、支持ワイヤーの他端が固定されるための支持部用凹部が設けられている。
【００１４】
このように構成した場合には、支持ワイヤーは、支持部の側面部に設けられた支持部用凹部内に納まった状態で、導電性融着材により側方から固定される。したがって、支持ワイヤーを、安定した状態でかつ支持部用凹部との接触部位全体で導電性融着材によって強固に固定できることとなる。また、支持部用凹部に入り込んだ導電性融着材は、凹部の存在によって他の領域に広がりにくくなる。
【発明の効果】
【００１５】
本発明によると、支持ワイヤーの支持部材に対する固定強度を向上させることができると共に作業効率を向上させることができ、しかも小型化できる光ピックアップ装置を得ることができる。
【発明を実施するための最良の形態】
【００１６】
以下、本発明の一実施の形態に係る光ピックアップ装置１０について、図１から図４に基づいて説明する。図１は、光ピックアップ装置１０の構成を示す斜視図であり、図２は、図１の光ピックプアップ装置１０の正面図である。図３は、図１の光ピックアップ装置１０の右側面図であり、図４は、図１において矢示Ａが示す部分の拡大図である。なお、以下の説明においては、一端側とは、図２において左側を指す。また、他端側とは図２において右側を指す。また、以下の説明において、図２における上方の側面を左側面、下方の側面を右側面という。
【００１７】
光ピックアップ装置１０は、図１から図３に示すように、可動部１２と、支持部材３０に対して可動部１２を移動可能となるように支持する４本の支持ワイヤー２０と、支持部材３０とから主に構成されている。光ピックアップ装置１０は、光ディスク（不図示）の記録面上に、後述する対物レンズ１９で光を集光させて、光ディスクに情報の記録または再生を行う装置である。
【００１８】
可動部１２は、ホルダ１８を有しており、ホルダ１８の中央には、光ディスクの記録面上に光を集光させるための対物レンズ１９が設けられている。また、ホルダ１８の両側には支持ワイヤー２０が固定される支持部２５が設けられている。さらに、ホルダ１８には、可動部１２をトラッキング方向（ディスクの半径方向）およびフォーカス方向（光ディスク面に接近、離遠する方向）に駆動させる不図示のトラッキングコイルおよび不図示のフォーカスコイルが配置されている。
【００１９】
支持ワイヤー２０は、支持部２５の両側に、図１から図３に示すＺ−Ｚ軸方向とほぼ平行となるように、それぞれ左右対称に２本ずつ合計４本設けられている。ここで、図１から図３に示すＺ−Ｚ軸は、可動部１２の上下、左右の中心から対物レンズ１９の光軸に直交し、光ピックアップ装置１０の長手方向に向かう軸である。
【００２０】
支持ワイヤー２０は、導電性を有する金属製のワイヤーであり、可動部１２の弾性的保持と、支持部材３０および支持部２５の間の電気的接続を行うものとなっている。そして、各支持ワイヤー２０の一端は、それぞれ後述する支持部材３０に固定され、その他端は、支持部２５の両側に、それぞれ固定されている。各支持ワイヤー２０は、支持部材３０を基準として上下左右にたわみ可能とされているため、可動部１２は、支持部材３０に対して固定した位置となるのではなく、可動できるものとなる。
【００２１】
可動部１２は、トラッキングコイルおよびフォーカスコイルに電流が印加されていないときは、Ｚ−Ｚ軸方向とほぼ平行となる支持ワイヤー２０によって静止位置に支持され、トラッキングコイルおよびフォーカスコイルに電流が印加されると、静止位置からトラッキング方向およびフォーカス方向に移動する。
【００２２】
上述したように、支持部２５は、ホルダ１８の両側に設けられており、さらに支持部２５の側面部には、Ｚ−Ｚ方向に沿って、断面が半円状となるように切り欠かれた形状を有する２つの支持用凹部２７が設けられている。なお、支持部２５は、左右両側に設けられているため、支持用凹部２７は左右２つずつの合計４つ設けられていることとなる。また、支持用凹部２７の内周面全面には導電性を有する導電性皮膜２８が施されている。そして、後述する支持ワイヤー２０の他端が、支持用凹部２７に挿入された状態で導電性融着材２９を支持用凹部２７の側面側から注入することにより支持用凹部２７内にて固定されている。
【００２３】
本実施の形態では、導電性融着材２９として半田が用いられているが、他の導電性部材として、例えば、導電性樹脂であるポリフタルアミドまたはフェノールホルムアルデヒドを用いても良い。また、トラッキングコイルおよびフォーカスコイルの端末線（不図示）も、支持用凹部２７内にてそれぞれ接続されているため、支持ワイヤー２０の他端は、トラッキングコイルおよびフォーカスコイルの端末線と、それぞれ電気的に接続されることとなる。
【００２４】
支持部材３０は、長方形の形状をした回路基板であり、その基板面３０ａには、導電性の回路３０ｂが形成されている。また、支持部材３０の左側および右側の両側面には、それぞれ２つずつ合計４つの支持部材用凹部３１が対向するように設けられている。当該支持部材用凹部３１は、支持用凹部２７と同様に、その断面が半円状となるように切り欠かれた形状をしており、その内周面全面には導電性を有する導電性皮膜２８が施されている。そして、支持ワイヤー２０の一端が、図４に示すように、支持部材用凹部３１に係合された状態で導電性融着材３２を、支持部材３０の側面側から注入することにより、支持部材用凹部３１にて固定されている。
【００２５】
本実施の形態では、導電性融着材３２として半田が用いられていが、他の導電性部材として、例えば、導電性樹脂であるポリフタルアミドまたはフェノールホルムアルデヒドを用いても良い。また、回路３０ｂは、各支持部材用凹部３１に対して電気的に接続するように形成されているので、支持ワイヤー２０の一端は、回路３０ｂと電気的に接続されていることとなる。上述したように、支持ワイヤー２０の他端も、トラッキングコイルおよびフォーカスコイルの端末線と、それぞれ電気的に接続されているため、回路３０ｂは、支持ワイヤー２０を介してトラッキングコイルやフォーカスコイルとそれぞれ電気的に接続されている。この回路３０ｂが不図示の電源側の導線と接続されることで、電流がトラッキングコイルやフォーカスコイルに供給されることとなる。
【００２６】
本実施の形態では、不図示の永久磁石がフォーカスコイルおよびトラッキングコイルと磁気回路を形成するように配置されている。すなわち、不図示の永久磁石は、図２におけるＺ−Ｚ軸方向に沿って、可動部１２を挟んで対向するように配置されている。また、Ｚ−Ｚ軸方向に対して垂直となる方向にも、不図示の永久磁石が、可動部１２の両側に設けられた支持部２５を挟んで対向するように配置されている。これらの永久磁石の磁界と、トラッキングコイルやフォーカスコイルに印加される駆動電流によって生ずる磁界とが作用して、可動部１２が、トラッキング方向およびフォーカス方向に駆動される。
【００２７】
以上のように構成された光ピックアップ装置１０では、図１および図４に示すように、支持ワイヤー２０の一端は、支持部材３０の側面に設けられた支持部材用凹部３１内に納まった状態で、導電性融着材３２により側面側にて固定されている。したがって、導電性融着材３２を側面の幅Ｗ（図３参照）の全体に渡って供給でき、十分な量の導電性融着材３２を供給できることとなる。その結果、支持ワイヤー２０を支持部材３０にしっかりと固定させることができる。また、従来のように、支持ワイヤー２０を支持部材３０に設けられた微細な貫通孔に挿通する必要がなくなり、作業効率が向上する。
【００２８】
特に、支持ワイヤー２０が支持部材用凹部３１内に納まった状態では、支持ワイヤー２０は支持部材３０の側面全体、すなわち図３で示す幅Ｗの長さ部分と接触しかつ保持されることが可能となる。また、支持ワイヤー２０を貫通孔に挿通させた場合と比較して、確実に広範囲に渡って導電性融着材３２を供給できるため、それにより支持ワイヤー２０が確実に固定され、支持部材３０に対する支持ワイヤー２０の固定強度が向上すると共に導電性融着材３２が支持部材用凹部３１外へ流れていくことが防止されることとなる。
【００２９】
また、光ピックアップ装置１０では、支持部材用凹部３１の内周面全体には導電性皮膜２８が形成されている。そのため、支持ワイヤー２０を支持部材３０に対して確実に導電可能に接続できる。なお、支持ワイヤー２０を支持部材３０に対して導電可能に接続できれば、導電性皮膜２８を内周面全体に施さず支持部材用凹部３１の一部に施すようにしても良い。
【００３０】
また、光ピックアップ装置１０では、支持用凹部２７および支持部材用凹部３１は、その断面が半円形といった単純な形状をしている。したがって、支持用凹部２７および支持部材用凹部３１を容易に加工できることとなる。例えば、支持部２５および支持部材３０に断面円形の貫通孔（スルーホール）を開け、その貫通孔内周面に導電性皮膜２８を付着させ、その後、貫通孔を横切るように支持部２５および支持部材３０を切断して支持用凹部２７および支持部材用凹部３１を形成するようにしても良い。また、半円形の形状としているので、支持ワイヤー２０を支持部２５および支持部材３０の各凹部２７，３１内に挿入しやすくなると共に接着しやすくなる。
【００３１】
また、光ピックアップ装置１０では、図１および図４に示すように、支持ワイヤー２０の他端は、支持部２５の側面に設けられた支持部用凹部２７内に納まった状態で、導電性融着材３２により側面側にて固定されている。したがって、支持ワイヤー２０が支持部用凹部２７内に納まった状態では、支持ワイヤー２０は支持部２５の側面全体、すなわち図３で示す幅Ｘの長さ部分と接触することが可能となり、支持ワイヤー２０を広範囲に渡って導電性融着材３１により固定できることとなるため、支持部２５に対する支持ワイヤー２０の固定強度が向上することとなる。
【００３２】
また、この光ピックアップ１０では、光ピックアップ装置４０の幅方向寸法Ｌに対し、幅方向寸法Ｍ１はＬ＞Ｍ１となり、小型化が達成される。また、可動部１２の幅方向寸法Ｍ２も従来のものに比べ小さくなり、小型化が達成される。
【００３３】
以上、本発明の一実施の形態について説明したが、本発明はこれ以外にも種々変形可能となっている。以下、それについて述べる。
【００３４】
上述の実施の形態では、合計４本の支持ワイヤー２０によって可動部１２を支持しているが、これに限ることなく、ホルダ１９に配置されるコイルの数に対応させて、例えば、支持ワイヤーの数を左右３本ずつの計６本としたり、左右４本ずつの計８本としても良い。また、導電用の支持ワイヤー以外に保持のみを行う支持ワイヤーを１本または複数本付加するようにしても良い。
【００３５】
また、上述の実施の形態では、支持用凹部２７および支持部材用凹部３１の断面形状は、半円形となっているが、これに限らずＶ字型、半楕円型またはコ字型としても良い。Ｖ字型とした場合は、特に、支持ワイヤー２０の設置の際の位置決めが容易となり安定する。また、支持部材用凹部３１のみを設け、支持用凹部２７を設けず、可動部１２側は従来のように貫通方式としたり、特許文献１のように側面に突出するように接続させたりしても良い。
【００３６】
また、上述の実施の形態では、ホルダ１９には、フォーカスコイルおよびトラッキングコイルが配置されているが、これらに加えて、可動部１２をＺ−Ｚ軸を中心とした回転方向に可動させるチルトコイルを配置するようにしても良い。
【００３７】
また、本実施の形態では、支持部材３０の左右の両側面に支持部材用凹部３１を設け、支持ワイヤー２０を支持部材３０の左右の両側面側で固定しているが、これに限らず、支持部材用凹部を支持部材３０の上下の両側面側に設け、支持ワイヤー２０を上下の両側面側で固定するようにしても良い。支持ワイヤー２０を、上下の両側面側で固定したときは、支持部材３０の高さ方向寸法Ｍ３（図３参照）が小さくなり、その面で小型化される。また、支持部材３０の側面に凹部を設けず、平坦面状の側面に直接、支持ワイヤー２０を固定するようにしても良い。
【００３８】
また、本実施の形態では、支持部２５において支持ワイヤー２０、フォーカスコイルおよびトラッキングコイルの端末線を接続しているが、支持部２５の側面部に接続基板を設け、当該接続基板において支持ワイヤー２０、フォーカスコイルおよびトラッキングコイルの端末線を接続するようにしても良い。また、支持ワイヤー２０を導電性融着材２９，３１部分の断面略中央に位置するように固定しているが、導電性皮膜２８に接触するように支持ワイヤー２０を配置しても良い。
【００３９】
また、本実施の形態では、支持部材３０に直接、回路３０ｂを形成しているが、支持部材３０に直接、回路３０ｂを形成することなく、回路が形成されたプリント配線板を支持部材３０の外側から取り付け、プリント配線板と支持ワイヤー２０とを電気的に接続するようにしても良い。
【００４０】
また、上述の実施の形態では、支持ワイヤー２０の全てが支持部材３０の側面側に固定されているが、少なくとも１本が側面側に固定されれば、従来以上の効果を有することとなり、１本のみまた２本のみのように、支持ワイヤーの全てではなく一部を側面側で固定するようにしても良い。
【産業上の利用可能性】
【００４１】
本発明の光ピックアップ装置は、レンズ等の光学系を動作させる装置全てに適用できる。特に、ＣＤプレーヤー、ＤＶＤプレーヤー等の各種音響再生装置または映像再生装置において好適に利用することができる。
【図面の簡単な説明】
【００４２】
【図１】本発明の実施の形態に係る光ピックアップ装置の構成を示す斜視図である。
【図２】図１の光ピックアップ装置の平面図である。
【図３】図１の光ピックアップ装置の右側側面図である。
【図４】図１の光ピックアップ装置において矢示Ａで示す部分の拡大図である。
【図５】従来の光ピックアップ装置の構成を示す平面図である。
【図６】図５の光ピックアップ装置において矢示Ｂで示す部分の拡大図で、（ａ）は、上方から見た図（（ｂ）の矢示Ｄ方向から見た図）で、（ｂ）は、（ａ）の矢示Ｃ方向から見た図である。
【符号の説明】
【００４３】
１０…光ピックアップ装置
１２…可動部
１８…ホルダ
１９…対物レンズ
２０…支持ワイヤー
２５…支持部
２７…支持用凹部
３０…支持部材
３１…支持部材用凹部
【図１】
2006085748.tif 000003
【図２】
2006085748.tif 000004
【図３】
2006085748.tif 000005
【図４】
2006085748.tif 000006
【図５】
2006085748.tif 000007
【図６】
2006085748.tif 000008